(57)【特許請求の範囲】
【請求項１】
バーナが配設された燃焼部と、
この燃焼部に隣接して配置されるとともにガバナ機構が配設されかつガスボンベが装填されるボンベ装填部とを備えてなり、
上記ボンベ装填部は、背面部が開放自在に構成されたことを特徴としたガスコンロ装置。
【発明の詳細な説明】
【０００１】
【発明の属する技術分野】
本発明は、ガスボンベが装填されテーブル等に載置されて使用される小型のガスコンロ装置に関する。
【０００２】
【従来の技術】
ガスボンベを用いるガスコンロ装置は、ガス配管設備が不要であり適宜の場所に持ち運び自在であることから、手軽な加熱調理器具として一般家庭ばかりでなく飲食店や旅館或いはアウトドア用にと幅広く使用されている。ガスコンロ装置は、一般に燃焼部と、この燃焼部に隣接して配置されるボンベ装填部とからなる全体箱型に構成されている。燃焼部は、バーナが配設されるとともに複数個の五徳が設けられた汁受けプレート部材が装着されてなる。
【０００３】
ボンベ装填部は、シャーシに対して回動自在に支持されたカバー部材によってその側面部と天井部とが開閉自在に構成され、内部にガバナ機構やボンベチャッキング機構等が配設されている。ボンベ装填部には、カバー部材を回動操作して側面部と天井部とを開放した状態で、ガスボンベが装填される。ガスボンベは、ボンベチャッキング機構によってチャッキングされるとともにステムがガバナ機構と連結される。
【０００４】
ガスボンベは、缶本体に対してバルブ機構を有するバルブ構体が組み合わされて構成され、内部に比較的活性の低い液化ブタン等の液化燃料ガスが充填されている。ガスボンベは、充填された液化燃料ガスの一部が内部で気化することにより内部圧力が外気に対して高い状態となっている。したがって、ガスボンベは、ガスコンロ装置側のガバナ機構が操作されることによってバルブ機構が開放されて、気化した燃料ガスがノズル孔から噴出する。燃料ガスは、ガバナ機構においてガスボンベからの噴出量を適宜制御された状態で燃焼部のバーナへと供給されて燃焼される。
【０００５】
【発明が解決しようとする課題】
ガスコンロ装置には、一般に缶本体の直径が約６６ｍｍ、ステムを含む全長が約１８５ｍｍの外形仕様を以って構成されたガスボンベが標準汎用品として供給されている。また、ガスコンロ装置は、燃焼部が土鍋等の被加熱容器を安定した状態で五徳上に載置するに足る大きさを有するとともに、ボンベ装填部がガバナ機構やボンベチャッキング機構とともに上述したガスボンベを装填するに足る大きさを以って構成されている。したがって、ガスコンロ装置は、ごく標準的なものであっても、例えば横寸法が約３５０ｍｍ、奥行き寸法が約２５０ｍｍ以上の外形寸法を以った大きさに構成されていた。
【０００６】
ところで、一般家庭等においては、核家族化、少人数化等に伴って、食卓等も比較的小さなものが使用されるようになっているためにテーブル上に上述した大きな外形寸法のガスコンロ装置を設置するスペースを確保することが困難となる場合が多い。また、一般家庭等においては、上述した標準汎用品のような大容量のガスボンベを不要とする場合が多い。一方、飲食店や旅館等においても、提供する鍋物等を加熱、保温ためにテーブルやお膳上に大きなガスコンロ装置を設置すると、他の料理等を並べることが困難となってしまう。飲食店等においては、長時間テーブル上にガスコンロ装置が置かれていると他の料理の注文がとどこおり、また大きなテーブルの設置が店内スペースの効率化を妨げて売り上げに重大な影響を及ぼすといった問題があった。さらに、ガスコンロ装置は、アウトドア用にも使用されるが比較的大型であるために持ち運びに不便であるといった問題があった。
【０００７】
ガスコンロ装置は、上述した事情からさほど大きな設置スペースを必要とすることが無い小型化の要求が高まっているが、標準汎用品のガスボンベの外形仕様によって制限されるためにその実現が困難となっている。ガスコンロ装置は、例えば専用の小型ガスボンベを用いることによって小型化を図ることが可能であるが、使用途中でガス切れ等の事態が生じた場合や贈答用でもらい受けた場合等においてこの小型ガスボンベを標準汎用品のガスボンベのように手軽に入手することが困難であるといった問題が生じる。
【０００８】
したがって、本発明は、専用の小型ガスボンベを用いることで全体が小型に構成されるとともに、入手が容易な標準汎用型のガスボンベの使用も可能としたガスコンロ装置を提供することを目的に提案されたものである。
【０００９】
【課題を解決するための手段】
この目的を達成する本発明にかかるガスコンロ装置は、バーナが配設された燃焼部に隣接して配置されるとともにガバナ機構が配設されかつガスボンベが装填されるボンベ装填部が、背面部も開放自在に構成されてなる。
【００１０】
以上のように構成された本発明にかかるガスコンロ装置によれば、全体小型に構成されており、ボンベ装填部内に専用の小型ガスボンベが装填される。卓上ガスコンロ装置は、入手が容易な標準汎用型のガスボンベを使用する場合には、このガスボンベが背面部を開放されたボンベ装填部内に後端部分を背面側へと飛び出させた状態で装填される。
【００１１】
【発明の実施の形態】
以下、本発明の実施の形態について図面を参照して詳細に説明する。実施の形態として示すガスコンロ装置１には、詳細を後述するように、ガスボンベ２として好適に使用される専用小型ガスボンベ２Ａとともに、従来一般に用いられている大型の標準汎用ガスボンベ２Ｂも使用することが可能とされる。ガスコンロ装置１は、シャーシ３に対して一方側面を開放したコ字状の化粧枠部材４が取り付けられるとともに、この化粧枠部材４の開放部位に詳細を後述するカバー部材５及び背面カバー部材６とが組み合わされて全体略箱型に構成されてなる。
【００１２】
ガスコンロ装置１は、図１及び図２に示すように、一方領域が燃焼部７として構成されるとともに、化粧枠部材４の開放部位側の他方領域が仕切板９を介してボンベ装填部８として構成されてなる。ガスコンロ装置１には、ボンベ装填部８に対応する化粧枠部材４の前方側面４ａにダイヤルツマミ１０が配設されるとともに、シャーシ３の底面の四隅近傍に位置してそれぞれ設置用の脚部１１が設けられている。ガスコンロ装置１は、例えば横寸法が約２６３ｍｍ、奥行き寸法が最大約２１１ｍｍ（背面カバー部材６から化粧枠部材４の前面４ａに設けたダイヤルツマミ１０の先端までの寸法。なお、本体部位は約２００ｍｍである。）の外形仕様を以って構成されている。
【００１３】
したがって、ガスコンロ装置１は、従来のガスコンロ装置と比較して小型化された構成であることから、テーブル等に載置して使用する際にスペース効率を大幅に向上させる。また、ガスコンロ装置１は、一般に用いられる大きさの土鍋等を使用する場合にもこれを安定した状態で載置可能とする。
【００１４】
ガスコンロ装置１は、上述したように小型化された構成と詳細を後述するボンベ装填部８の構成に特徴を有しているが、その他の基本的な構成が従来のガスコンロ装置と同様とされている。燃焼部７には、詳細を省略するが、中央部に位置してバーナ１２が配置されるとともに着火機構１３が設けられている。燃焼部７には、化粧枠部材４に対して汁受けプレート部材１４が着脱自在に装着される。汁受けプレート部材１４は、略矩形浅皿状を呈しており、図１及び図２に示すようにその中央部にバーナ１２を外方に臨ませる円形の開口部１４ａが設けられている。
【００１５】
汁受けプレート１４部材には、開口部１４ａを囲む四隅に位置して、それぞれ五徳１５が突出された状態で取り付けられている。また、汁受けプレート部材１４には、ボンベ装填部８側に位置して略コ字状を呈する鍋受けブラケット部材１６が取り付けられている。鍋受けブラケット部材１６は、図１及び図２に示すように、汁受けプレート部材１４からボンベ装填部８の上方に延在するように折曲されてなる。鍋受けブラケット部材１６は、図２に示すように、汁受けプレート部材１４に対して奥行き方向の中心からやや前面４ａ側に偏倚した位置に設けられている。鍋受けブラケット部材１６は、五徳１５上に載置される鍋等がボンベ装填部８にかぶさらないようにして、このボンベ装填部８への炎の回りを抑制するように作用する。
【００１６】
ガスコンロ装置１は、使用しない場合には、汁受けプレート部材１４が化粧枠部材４に対して燃焼部７に反転した状態で装着されることにより、この化粧枠部材４の内部に五徳１５や鍋受けブラケット部材１６が収納されるようにする。したがって、ガスコンロ装置１は、さらにコンパクト化された状態で保管等することができる。ガスコンロ装置１は、鍋受けブラケット部材１６が前方側に設けられていることによって、図７に鎖線で示すように鍋受けブラケット部材１６がボンベ装填部８内に収納されるように構成されている。したがって、ガスコンロ装置１は、鍋受けブラケット部材１６によって未使用時にボンベ装填部８内へのガスボンベ２の装填が不能とされる。
【００１７】
ガスコンロ装置１は、安全性のためにガスボンベ２を装填したまま保管等されないように構成されなければならない。ガスコンロ装置１は、保管時に汁受けプレート１部材４が反転されて燃焼部７に装着されるが、上述したように鍋受けブラケット部材１６がボンベ装填部８内へのガスボンベ２の不正装填を防止する部材として作用する。
【００１８】
なお、着火機構１３は、詳細を省略するが点火プラグが設けられ、ダイヤルツマミ１０による点火操作によって図示しない電源から電圧が印加される。着火機構１３は、点火プラグへの電圧印加によって火花を発生させ、ガスボンベ２からバーナ１２へ供給された燃料ガスに着火する。なお、着火機構１３については、かかる構成に限定されるものでは無く、例えば圧電型着火機構等の適宜の着火機構によって構成してもよい。
【００１９】
ボンベ装填部８は、シャーシ３の一方側に、上述したように化粧枠部材４の前面４ａと仕切板９及びカバー部材５と背面カバー部材６とによって閉塞される奥行き方向の矩形空間部として構成されてなる。ボンベ装填部８には、ガスボンベ２からバーナ１２への燃料ガスの供給量を調整するガバナ機構１７と、装填されたガスボンベ２をチャッキングするチャッキング機構１８とが設けられている。
【００２０】
なお、ボンベ装填部８は、燃焼部７とは独立した部位によって構成され、これを燃焼部７に組み合わせて構成するようにしてもよい。この場合、ボンベ装填部８は、熱伝導率が良好でありかつ機械的特性を有する例えばアルミニウムダイキャスト等によって成形することが好ましい。ボンベ装填部８は、燃焼部７からの熱伝導によって内部温度が高められることにより、ガスボンベ２内の液化燃料ガスの気化促進が図られて内部圧力が保持される。
【００２１】
カバー部材５は、金属薄板を素材とし、ボンベ装填部８の天井部と側面部とを構成する天井部１９と側面部２０とが一体に形成されることによって断面Ｌ字状を呈している。カバー部材５には、詳細を省略するが側面部２１の下端部に軸穴を有するヒンジ部２１が一体に形成されている。カバー部材５は、ヒンジ部２１の軸穴にシャーシ３に支架した支軸２２が挿通されており、この支軸２２を支点としてシャーシ３に対して回動自在に支持されている。
【００２２】
カバー部材５には、その天井部１９に、後述するようにボンベ装着部８に装填されたガスボンベ２とガバナ機構１７との結合状態を視認可能とする開口２３が設けられている。開口２３は、例えばカバー部材５を開放操作するに際して指が差し込まれる指掛け穴としても機能する。カバー部材５には、使用時にボンベ装填部８内が所定の温度以上にならないようにするために、側面部２０に溜まった熱を放熱するための多数条の放熱スリット２４が形成されている。
【００２３】
なお、カバー部材５は、例えばヒンジ部２１と支軸２２との間にトーションスプリングを装着することによりボンベ装填部８を閉塞する方向に付勢するように構成されてもよい。また、カバー部材５は、ボンベ装填部８を閉塞した状態において、天井部１９の先端縁が仕切板９の上端縁に支えられる。さらに、カバー部材５は、支軸２２に代えてヒンジ部２１の軸穴を貫通するとともにシャーシ３に形成した取付部にねじ止めされる止めねじによって回動自在に支持するように構成してもよい。
【００２４】
以上のように構成されたカバー部材５は、指掛け穴２３を介して支軸２２を支点として回動操作されることによって、ボンベ装填部８の天井部と側面部とを開放する。ガスコンロ装置１は、後述するように開放されたボンベ装填部８に対してガスボンベ２の着脱操作が行われる。
【００２５】
背面カバー部材６は、金属薄板やポリカーボネート樹脂等の合成樹脂を素材として、ボンベ装填部８の開放された背面部を閉塞するに足る外形寸法を有する全体略板状に形成されている。背面カバー部材６には、図２及び図３に示すように、下端部の両側に位置して軸穴を有するヒンジ部２５（２５ａ、２５ｂ）が一体に折曲形成されている。背面カバー部材６は、ヒンジ部２５の軸穴にシャーシ３に支架した支軸２６が挿通され、この支軸２６を支点としてシャーシ３に対して回動自在に支持されている。
【００２６】
なお、背面カバー部材６は、例えばヒンジ部２５と支軸２６との間にトーションスプリングを装着することによってボンベ装填部８を閉塞する方向に付勢するように構成されてもよい。また、背面カバー部材６は、ボンベ装填部８を閉塞した状態において、図２に示すように上端部に前方側へと折曲形成したフランジ部６ａがカバー部材５の天井部１９に支えられる。さらに、背面カバー部材６は、シャーシ３との間に例えばクリック凸部とクリック凹部とからなるクリック機構を設けて、ボンベ装填部８を閉塞した状態が安定した状態で保持されるようにしてもよい。
【００２７】
背面カバー部材６は、支軸２６に代えてヒンジ部２５の軸穴を貫通するとともにシャーシ３に形成した取付部にねじ止めされる止めねじによって回動自在に支持するように構成してもよい。また、背面カバー部材６は、合成樹脂材料によって成形する際に、例えば下端部をシャーシ３に固定するとともに、ボンベ装填部８の背面部を構成する立上り部位を薄肉部を介して連設するようにしてもよい。薄肉部は、その材料特性によって可撓性を有することから、支軸２６を不要としてヒンジ機構を構成する。
【００２８】
以上のように構成された背面カバー部材６は、通常ボンベ装填部８の背面部を閉塞しているが、後述するように大型の標準汎用ガスボンベ２Ｂを使用する場合には支軸２６を支点として回動操作されることによって、ボンベ装填部８の背面部を開放する。ガスコンロ装置１は、後述するように開放されたボンベ装填部８の背面部から標準汎用ガスボンベ２Ｂの後端部が突出された状態とされることによりこの標準汎用ガスボンベ２Ｂの使用を可能とする。
【００２９】
ダイヤルツマミ１０は、着火機構１３の点火とともにガスボンベ２とガバナ機構１７との結合状態を解除する操作を行う。ダイヤルツマミ１０は、図１において反時計方向に回転操作されることによって着火機構１３に着火用火花を発生させる。ダイヤルツマミ１０は、燃焼時には、図１に示した垂直な状態の初期位置へと復帰操作される。ダイヤルツマミ１０は、この初期位置において図示しないクリック機構によって保持される。
【００３０】
ダイヤルツマミ１０は、初期位置から図１において時計方向に２０°回転操作されることによってガバナ機構１７に結合されたガスボンベ２を背面側へと移動させて離脱させる。ダイヤルツマミ１０は、時計方向に回転された位置から図示しない弾性復帰手段によって初期位置へと自動復帰する。
【００３１】
ガスコンロ装置１には、カバー部材５を回動操作して天井部と側面部とを開放した状態において専用小型ガスボンベ２Ａがボンベ装填部８に装填される。ガスコンロ装置１には、カバー部材５と背面カバー部材６とを回動操作して天井部と側面部及び背面部とを開放した状態において標準汎用ガスボンベ２Ｂがボンベ装填部８に装填される。専用小型ガスボンベ２Ａは、缶本体の直径寸法が約６５．８ｍｍとされるとともにステム２７を含む全長が約１１５ｍｍの外形仕様を以って構成されている。したがって、専用小型ガスボンベ２Ａは、標準汎用ガスボンベ２Ｂに対して、直径寸法が同等であるが全長が約７０ｍｍ短小に構成されている。
【００３２】
専用小型ガスボンベ２Ａ及び標準汎用ガスボンベ２Ｂは、長さ寸法を異にするが、その他の構成をほぼ同等としている。専用小型ガスボンベ２Ａ及び標準汎用ガスボンベ２Ｂは、詳細を省略するが缶本体にステム２７を有するバルブ構体が組み付けられてなる。専用小型ガスボンベ２Ａ及び標準汎用ガスボンベ２Ｂは、マウンテンカップのリング状フランジに形成された切欠きをボンベチャッキング機構１８に係合してセットされてボンベ装填部８に装着される。専用小型ガスボンベ２Ａ及び標準汎用ガスボンベ２Ｂは、ガバナ機構１７側へと押し込まれることによってステム２７がこのガバナ機構１７に設けた図示しないステム嵌合穴に係合される。
【００３３】
なお、ガスコンロ装置１は、上述したようにガスボンベ２をボンベチャッキング機構１８にセットした状態でガバナ機構１７に押し込んで装着するように構成したがかかる構成に限定されるものでは無い。ガスコンロ装置１は、例えばボンベチャッキング機構１８が前面部４ａ等に設けたセットレバーを操作することによって前後方向にスライド動作するように構成され、ガスボンベ２をセットした状態で前面部４ａ等に設けたセットレバーを操作することによってステム２７がガバナ機構１７に結合されるようにしてもよい。
【００３４】
ガスコンロ装置１は、ボンベ装填部８に専用小型ガスボンベ２Ａが装填される場合には、カバー部材５のみが支軸２２を支点として回動操作されてボンベ装填部８がその天井部と側面部とを開放される。ガスコンロ装置１には、開放されたボンベ装填部８に専用小型ガスボンベ２Ａが装填されてカバー部材５が閉じられる。ガスコンロ装置１は、これによって、図４に示すように専用小型ガスボンベ２Ａが装填されたボンベ装填部８がカバー部材５と背面カバー部材６とによって閉塞された状態で使用される。ガスコンロ装置１は、上述したように全体小型に構成されていることから、テーブル等に載置して使用した場合にも大きな面積をとらずにスペース効率を向上させる。
【００３５】
ガスコンロ装置１は、ボンベ装填部８に標準汎用ガスボンベ２Ｂが装填される場合には、カバー部材５とともに、図６矢印で示すように背面カバー部材６が支軸２６を支点として回動操作される。ガスコンロ装置１には、開放されたボンベ装填部８に大型の標準汎用ガスボンベ２Ｂが装填されてカバー部材５が閉じられる。ガスコンロ装置１は、図５及び図６鎖線で示すように背面カバー部材６が回動操作した状態のまま保持される。ガスコンロ装置１は、これによって標準汎用ガスボンベ２Ｂがその後端部を開放されたボンベ装填部８の背面部から後方へと突出露呈した状態で使用される。ガスコンロ装置１は、このように専用小型ガスボンベ２Ａとともに大型の標準汎用ガスボンベ２Ｂの使用が可能とされる。
【００３６】
なお、ガスコンロ装置１は、使用後は、上述したようにダイヤルツマミ１０を操作してガスボンベ２をガバナ機構１７から離脱させた後にボンベ装填部８から取り外す。
【００３７】
上述したガスコンロ装置１においては、背面カバー部材６がシャーシ３に対して支軸２６によって回動自在に支持されたが、かかる構成に限定されるものでは無い。図８に示したガスコンロ装置３０は、背面カバー部材３１がシャーシ３に対して着脱自在に組み合わされた構成を特徴とする。背面カバー部材３１は、例えば合成樹脂材料によってボンベ装填部８の背面部を閉塞するに足る外形寸法を有する板状に形成されてなる。背面カバー部材３１には、その両側縁に係合凸部３２が形成されており、この係合凸部３２が仕切板９及びシャーシ３に立設した図示しない支持柱部材とに形成した高さ方向の係合溝に相対係合される。
【００３８】
ガスコンロ装置３０は、専用小型ガスボンベ２Ａを使用する場合には、背面カバー部材３１を取り付けた状態のままとされる。また、ガスコンロ装置３０は、標準汎用ガスボンベ２Ｂを使用する場合には、背面カバー部材３１がボンベ装填部８から抜き取られる。したがって、ガスコンロ装置３０は、図８において鎖線で示すように、標準汎用ガスボンベ２Ｂがその後端部を開放された背面部から突出した状態でボンベ装填部８に装填される。
【００３９】
なお、本発明は、上述した各実施の形態のガスコンロ装置に限定されるものではなく、ガスボンベ２の装着機構や燃焼部７の構成について従来一般に採用される構造が適宜されることは勿論である。ガスコンロ装置は、要は全体を小型に構成するとともにボンベ装填部８の背面部を開放自在とすればよい。
【００４０】
【発明の効果】
以上詳細に説明したように、本発明にかかるガスコンロ装置によれば、専用の小型ガスボンベが用いられるようにして全体を小型に構成したことにより限られたスペースのテーブル等に対してもスペース効率を向上して載置することが可能となる。また、ガスコンロ装置は、ボンベ装填部の側面部と天井面部とを構成するカバー部材とともに、背面部を構成する背面カバー部材を回動自在としたことによって専用の小型ガスボンベばかりでなく標準汎用品として提供され入手が容易な大型ガスボンベの使用も可能とされることから、大人数で長時間使用する場合や専用の小型ガスボンベのストックを怠った等の場合においても対応が可能であり汎用性を有して使用勝手の向上が図られる。
【図面の簡単な説明】
【図１】本発明の実施の形態として示すガスコンロ装置の斜視図である。
【図２】同ガスコンロ装置の平面図である。
【図３】同ガスコンロ装置の側面図である。
【図４】同ガスコンロ装置のボンベ装填部に専用小型ガスボンベを装填した状態を示す縦断面図である。
【図５】同ガスコンロ装置のボンベ装填部に標準汎用大型ガスボンベを装填した状態を示す縦断面図である。
【図６】同ガスコンロ装置におけるボンベ装填部の背面部の構成を説明する要部縦断面図である。
【図７】同ガスコンロ装置において、未使用時におけるボンベ装填部へのガスボンベの誤装填防止機構の説明図である。
【図８】本発明の他の実施の形態として示すガスコンロ装置のボンベ装填部の構成を説明する要部縦断面図である。
【符号の説明】
１  ガスコンロ装置、２  ガスボンベ、２Ａ  専用小型ガスボンベ、２Ｂ  標準汎用大型ガスボンベ、３  シャーシ、４  化粧枠部材、５  カバー部材、６  背面カバー部材、７  燃焼部、８  ボンベ装填部、１０  ダイヤルツマミ、１２バーナ、１４  汁受けプレート部材、１５  五徳、１６  鍋受けブラケット部材、１７  ガバナ機構
【図１】
0003590945.tif 000002
【図２】
0003590945.tif 000003
【図３】
0003590945.tif 000004
【図４】
0003590945.tif 000005
【図５】
0003590945.tif 000006
【図６】
0003590945.tif 000007
【図７】
0003590945.tif 000008
【図８】
0003590945.tif 000009